(57)【要約】【課題】以前に録画したことのある番組の重複録画を確実に防止できる手段を備えたデジタル放送受信装置を提供する。【解決手段】既に装置本体に録画済みの番組または装置外のライブラリに保有済みの番組の番組名／番組ジャンル名を保有番組情報として記録する保有番組名／番組ジャンル名記録手段と、電子番組表に表示されている番組中に保有番組名／番組ジャンル名記録手段に記録されている番組と一致する番組があるか否かを判別する保有番組判別手段と、保有番組判別手段の判別結果に基づいて電子番組表に表示されている番組名のうち、既に装置本体に録画済みあるいは装置外のライブラリに保有済みの番組については、表示されている番組名にマスキンク処理を施すマスキング表示手段を備える。【選択図】図１
2007159002.tif 000002
【特許請求の範囲】
【請求項１】
デジタル放送番組の受信／録画および上記デジタル放送番組に多重されて送られてくる番組配列情報が受信可能であり、受信した上記番組配列情報に基づいて、放送番組の録画予約に使用するための電子番組表を表示できるデジタル放送受信装置であって、
既に装置本体に録画済みの番組または装置外のライブラリに保有済みの番組の番組名／番組ジャンル名を保有番組情報として記録する保有番組名／番組ジャンル名記録手段と、
上記電子番組表に表示されている番組中に上記保有番組名／番組ジャンル名記録手段に記録されている番組と一致する番組があるか否かを判別する保有番組判別手段と、
上記保有番組判別手段の判別結果に基づいて、上記電子番組表に表示されている番組名のうち、既に装置本体に録画済みあるいは装置外のライブラリに保有済みの番組については、表示されている番組名にマスキング処理を施すマスキング表示手段とを備えたことを特徴とするデジタル放送受信装置。
【請求項２】
操作者がリモコンのマスキング条件指定キーを操作して上記マスキング処理を施す際に、指定されたマスキング条件に対応するマスクインジケータを上記電子番組表上に点灯表示させることを特徴とする請求項１に記載のデジタル放送受信装置。
【請求項３】
上記保有番組名／番組ジャンル名記録手段が、予約録画動作を行った番組を新たな保有番組情報として記録するに際し、
装置本体の計時処理部より得られる実際に行われた予約録画開始／終了時刻の情報、番組配列情報から得られる予約録画動作を行った番組の放送開始／終了時刻／番組ジャンル名／番組名の情報、録画予約設定で指定した視聴／録画の予約種別の情報、および保有番組情報のメイン情報部に記録されている番組名／番組ジャンル名の情報に基づいて、
予約録画動作は完了し、放送番組の開始から終了まで録画されているが、保有番組情報としては未だ記録されていない番組であることを判別することを特徴と請求項１に記載のデジタル放送受信装置。
【請求項４】
上記保有番組名／番組ジャンル名記録手段が、予約録画動作以外での録画動作を行った番組を新たな保有番組情報として記録するに際し、
装置本体の計時処理部より得られる実際に行われた予約録画開始／終了時刻の情報、番組配列情報から得られる録画動作を行った番組の放送開始／終了時刻／番組ジャンル名／番組名の情報、番組保有情報のメイン情報部に記録されている番組名／番組ジャンル名の情報に基づいて、
録画動作が終了し、放送番組の開始から終了まで録画されているが、保有番組情報としては未だ記録されていない番組であることを判別することを特徴と請求項１に記載のデジタル放送受信装置。
【請求項５】
上記保有番組名／番組ジャンル名記録手段が、以前に録画していたか購入して持っている所有ライブラリ名の情報を新たな番組保有情報として記録するに際し、
電子番組表に表示されている番組の番組配列情報から得られる番組名／番組ジャンル名情報またはグラフィク表示されたＳ／Ｗキーボードなどから直接入力された番組名／番組ジャンル名情報または予めインターネット上のコピーフリーのサイトからダウンロードされている番組名／番組ジャンル名情報、番組保有情報のメイン情報部に記録されている番組名／番組ジャンル名の情報に基づいて、保有番組情報としては未だ記録されていない番組であることを判別することを特徴とする請求項１に記載のデジタル放送受信装置。
【請求項６】
上記保有番組名／番組ジャンル名記録手段が記録する保有番組情報は、ヘッダー情報部、メイン情報部およびサブ情報部で構成され、
上記ヘッダー情報部には記録する保有番組情報の情報源が何であったかの情報を記録し、
上記メイン情報部には記録する保有番組情報が何の番組であるかの情報を記録し、
上記サブ情報部には保有番組情報を記録した日時はいつであったかの情報を記録することを特徴とする請求項１に記載のデジタル放送受信装置。
【請求項７】
上記電子番組表を構成するための元情報となる番組配列情報の再受信が行われ、電子番組表に表示される番組名の追加／変更／削除が行われる際に、
電子番組表上のマスクインジケータがオンになっているマスク条件に対応した保有番組情報より得られる番組名／番組ジャンル名情報と電子番組表上に表示されているすべての番組の番組配列情報から得られる番組名／番組ジャンル名情報を比較して、一致する番組があるかを判別することにより、一致する番組がある場合は、電子番組表の該当番組に対して番組名のマスキング状態を更新する手段を備えることを特徴とする請求項１に記載のデジタル放送受信装置。
【請求項８】
上記電子番組表の番組名がマスキング処理された番組を選択した場合に、番組保有情報のヘッダー情報部の中にある情報源の情報とメイン情報部の中にある番組名などの情報とサブ情報部の中にある記録した日時情報などを用いて、操作者に対し選択した番組が既に保有している番組であることをグラフィックにより重複録画警告表示を行って注意を促す手段を備えることを特徴とする請求項６に記載のデジタル放送受信装置。
【発明の詳細な説明】
【技術分野】
【０００１】
本発明は、デジタル放送の受信／再生およびデジタル放送の中に含まれて送られてくる番組配列情報が受信可能で、受信した番組配列情報を利用して構成された放送番組予約の番組選択にも使用する電子番組表を備えたデジタル放送受信装置に関するものである。
【背景技術】
【０００２】
従来からのデジタル放送は、映像・音声・データなどを多重化して送られ、この多重信号の中にある多数の番組、多種類のサービス（例えば、テレビ番組サービス、デジタルラジオサービス、データ放送サービスなど）の中から視聴者が希望する番組を選択するために利用する番組配列情報（ＳＩ：Service Information）が含まれている。
この番組配列情報ＳＩは、ＳＤＴ（ServiceDescription Table）とＥＩＴ（EventInformation Table）とＢＡＴ（BouquetAssociation Table）とＴＤＴ（Time DateTable）の四つのテーブルから構成されている。
【０００３】
まず、ＳＤＴには、編成チャンネルの名称と事業者名とサービス形式（テレビ、音声、データ）に関する情報が含まれている。
ＥＩＴには、番組名および番組の簡単な内容と番組の詳細内容と番組を構成している各コンポーネントの情報（映像品質やアスペクト比あるいは音声のステレオやサラウンド）と番組のジャンルに関する情報が含まれている。
ＢＡＴには、ブーケ（同じ事業者が送信する複数のサービスの集合）として構成する編成チャンネルとサービス形式に関する情報が含まれている。
ＴＤＴには、現在の時刻と日付に関する情報が含まれている。
このように、番組配列情報（ＳＩ）によって、番組についての様々な情報が提供され、これらを利用して、デジタル放送受信装置では電子番組表（ＥＰＧ：Electronic Program Guide）として画面上に任意のレイアウトおよび内容で表示させることができる。
【０００４】
次に、デジタル放送受信装置における番組の予約録画設定を行うためには、放送局から多重化され送られてくる映像・音声・データの中に含まれた一定期間分の番組配列情報に基づいて、放送局のチャンネル番号情報と番組の放送時間情報の２次元の情報で構成された一定期間分の電子番組表を開き、そこに表示される番組名を確認し、録画したい番組を見つけ、予約録画設定を行っていく。
しかし、デジタル放送の多チャンネル化にあわせて、電子番組表には、数多くの種類のジャンルに関する番組名が混在した状態で平面的に表示されている。
【０００５】
そのため、その電子番組表の中から目的の番組を探し出して予約録画設定を行うには、電子番組表に表示される全ての番組名を一つ一つ時間と手間をかけて確認していく必要があり、録画予約したい番組を見つけるまでには大きな手間と時間がかかる。
更に、録画したい番組名が見つかり、予約録画設定を行っても、それが以前に録画したことのある番組であったり、既に購入し所有しているライブラリの中のものであったりすることもあり、結果的に無駄な重複録画を行ってしまうことがある。
保有している録画番組などのライブラリ数が増えれば増えるほど重複録画を行ってしまう可能性が高くなっていく。
【０００６】
この改善策として、番組を番組ジャンルによって組わけして表示できる電子番組表表示装置が提案されている。
例えば特許文献１（特開２０００−７８１０７号公報）には、番組が放送されるチャンネル番号リストのテーブルとチャンネルごとに放送される数日間の番組の番組開始／終了時間と番組ジャンルを記載したテーブルとで構成される番組情報を受信して記録する番組情報受信記録手段と、記録した番組情報から番組ジャンル毎に番組を組わけして、組わけされた番組ジャンル種別毎に当該番組ジャンルに属する番組を番組開始時間順に並べた番組ジャンル別番組情報を構成する番組ジャンル別番組情報構成手段を用いて、前記再構成された番組ジャンル別番組情報を用いて番組表を構成して、モニタ画面に番組ジャンル別の番組表を表示することを可能にする「電子番組表表示装置」が開示されているが、この電子番組表示装置に表示されている番組が、以前に録画したことのある番組であるのか、既に購入し所有しているライブラリの中にある番組であるのかを確実に識別することはできない。
【特許文献１】特開２００１−７８１０７号公報（図１、段落０００７）
【発明の開示】
【発明が解決しようとする課題】
【０００７】
そのため、電子番組表表示装置の操作者が、以前に録画したことのある番組名や目的としないジャンルの番組名が混在して平面的に表示されている従来の電子番組表を用いて、放送番組の録画予約設定を行う際には、操作者自身の記憶を頼りに未だ録画したことがなく、今回録画したい番組が電子番組表上の中にあるかを、一つ一つ番組名を確認して探していく必要がある。
しかし、一つ一つの番組名を確認して録画したい番組を見つけ出して録画予約設定し、録画を行ってはみたが、後でその録画した番組を観てみると以前に録画したことがあり、既に所有していた放送番組であったり、ＤＶＤやビデオテープなどで購入し既に所有していた映画などであったりすることもあり、無駄な重複録画を行ってしまうことにある。
本発明は、このような問題点を解決するためになされたものであって、以前に録画したことのある番組の重複録画を確実に防止できる手段を備えたデジタル放送受信装置を提供することを目的とする。
【課題を解決するための手段】
【０００８】
本発明に係わるデジタル放送受信装置は、デジタル放送番組の受信／録画および上記デジタル放送番組に多重されて送られてくる番組配列情報が受信可能であり、受信した上記番組配列情報に基づいて、放送番組の録画予約に使用するための電子番組表を表示できるデジタル放送受信装置であって、既に装置本体に録画済みの番組または装置外のライブラリに保有済みの番組の番組名／番組ジャンル名を保有番組情報として記録する保有番組名／番組ジャンル名記録手段と、上記電子番組表に表示されている番組中に上記保有番組名／番組ジャンル名記録手段に記録されている番組と一致する番組があるか否かを判別する保有番組判別手段と、上記保有番組判別手段の判別結果に基づいて、上記電子番組表に表示されている番組名のうち、既に装置本体に録画済みあるいは装置外のライブラリに保有済みの番組については、表示されている番組名にマスキング処理を施すマスキング表示手段とを備えたものである。
【発明の効果】
【０００９】
本発明による電子番組表は、既に装置本体に録画済み、あるいは装置外のライブラリに保有済みの番組については、表示されている番組名にマスキング処理が施されているので、電子番組表を用いて予約録画する際に、録画の必要がない番組を容易に判断することが可能となり、無駄な重複録画を確実に防止できる。
【発明を実施するための最良の形態】
【００１０】
以下、本発明の一実施の形態にについて、図面に基づいて説明する。
実施の形態１．
図１は、実施の形態１に係るデジタル放送受信装置の構成を示すブロック図である。
まず、番組の予約設定および録画動作に至るまでの動作例について説明する。
放送局から送られてきた放送波は、受信アンテナ１にて受信された後に、復調処理部２に送られ、受信した放送波に対して復調処理が行われる。
復調された信号はデスクランブル・デマルチプレクサ処理部３に送られ、スクランブルが解除され映像、音声、データの各データに分離される。
分離された映像と音声データは、映像・音声デコード処理部４に送られて、ＭＰＥＧ２デコードが各々施される。
【００１１】
映像と音声とデータに含まれて送られてくる番組配列情報は、第一の蓄積部１２に順次蓄積され、主制御部１４は第一の蓄積部１２に蓄積された番組配列情報を読み出し、読み出した番組配列情報より生成した一定期間分の電子番組表のデータをグラフィック生成・重畳部５に送る。
装置の操作者が電子番組表を表示させる操作行うと、グラフィック生成・重畳部５にて電子番組表のグラフィックデータは映像データに重畳されて、映像処理部６にて予め選択設定された映像フォーマットに変換されて、ディスプレイ装置７と映像出力部１０に送られる。
映像・音声デコード処理部４にてデコードされた音声データは、音声処理部８に送られ、アナログ音声に変換されてスピーカ９と音声出力部１１に送られる。
【００１２】
次に、装置の操作者が放送番組の録画予約設定を行う場合は、リモコン２０上の「番組表」キーを押下することにより、リモコン２０から「番組表」キーに対応した制御コードが送信され、リモコン受信処理部１８でその信号を受信することにより押下されたキーが「番組表」キーであることを判別し、電子番組表が表示される。
装置の操作者は、電子番組表に表示されている番組名を確認して行き、録画予約したい番組があれば装置固有の予約設定画面に移り、予め決められた録画予約設定手順に従った操作を行う。
【００１３】
番組の録画予約設定が完了した後に、設定した録画予約開始時間が計時処理部１７にて管理されている現在時刻と一致すると、録画予約動作が実行される。
そして、設定した録画予約終了時間が計時処理部１７にて管理されている現在時刻と一致すると録画予約動作は終了される。
装置の内部蓄積部への録画設定の場合は、番組の映像や音声データなどが第二の蓄積部１３に順次蓄積されていく。
本装置の映像出力部１０および音声出力部１１と接続された外部機器（図示なし）への録画設定の場合には、外部録画機器の録画動作開始／終了を制御するための制御信号が外部録画機器制御用リモコン１９より出力され、番組の映像と音声が外部録画機器に記録される。
以上が番組の録画予約設定および録画予約設定された番組の録画動作に至るまでの説明であり、ここまでは従来装置の動作と同様である。
【００１４】
次に、デジタル放送受信装置の構成を示すブロック図である図１、デジタル放送受信装置における保有番組情報の記録形態を示す図２、本発明のデジタル放送受信装置における重複録画予約防止用の電子番組表１１０の表示例を示す図３、およびデジタル放送受信装置における従来の電子番組表１００の表示例を示す図６を用いて、本発明における動作例を説明する。
なお、放送波を受信アンテナ１にて受信してからディスプレイ装置７と映像出力部１０に映像が出力される共に、スピーカ９と音声出力部１１に音声が出力されるプロセス、第一の蓄積部１２に番組配列情報が順次蓄積され、蓄積された番組配列情報に基づいて電子番組表のグラフィックデータが主制御部１４において生成され、生成された電子番組表のグラフィックデータがグラフィック生成・重畳部５において映像データに重畳させるプロセス、番組の録画予約設定や録画終了などの動作に伴う第二の蓄積部１３、計時処理部１７、外部録画機器制御用リモコン出力部１９の各動作プロセスについては、従来装置の動作例と同様である。
【００１５】
本発明においては、重複録画予約防止用の電子番組表を表示するために必要となる情報として、装置の操作者が録画予約設定を行い、それに基づいた録画動作が完了した番組の番組情報と、録画予約設定は行わず任意に録画操作によって録画動作を行った番組の番組情報と、装置の操作者が既に所有しているビデオテープやＤＶＤディスクなど個人ライブラリの映画などのタイトル名情報の３つの情報があり、重複録画予約防止用の電子番組表を構成していくには、これらの３つの情報を予め装置内に記録しておく必要がある。
また、装置の操作者が既に所有している個人ライブラリのタイトル名情報を装置内に登録するあたり、装置の操作者による登録操作が伴うことになるが、Ethernet（登録商標）処理部１５を介しインターネット網１６に接続して、「あいうえお順」などで示された映画名などのリスト情報をコピーフリーのサイトから予め装置内にダウンロードしておくことにより、それ（則ち、予めダウンロードしたリスト情報）を番組名選択リストとして表示させ、所有しているライブラリのタイトル名の登録操作を容易にすることが可能となる。
【００１６】
次に、重複録画予約防止用の電子番組表を構成・表示するために必要となる先の３つの情報は、図２（ａ）に示す保有番組情報エリアに図２（ｂ）に示す保有番組情報フォーマットの形態で、第一の蓄積部１２に記録される。
第一の蓄積部１２に記録される保有番組情報フォーマットの形態は、保有番組情報の情報源を示すヘッダー情報部と、保有番組情報の番組ジャンル名と番組名を示すメイン情報部と、保有番組情報の録画開始/終了もしくは登録の日時と録画に使用した外部録画機器のメーカ名と機器カテゴリに関する情報を示したサブ情報部の３つから構成される。
【００１７】
図３は、本発明による電子番組表１１０の表示例を示しており、ｃｈ１の映画１１およびｃｈ２の映画２１は録画済みの番組、ｃｈ１の映画１２および映画１４はライブラリに既に保有している番組、ｃｈ２のニュース２１、ドラマ２１、ｃｈ３の音楽３１、ドラマ３１、ニュース３１は、指定外のジャンルの番組であり、これらの録画を必要としない番組名にはマスキングが施されている。
一方、ｃｈ１の映画１３およびｃｈ３の映画３１は、録画済みの番組、ライブラリに既に保有している番組あるいは指定外のジャンルの番組のいずれでもなく、これらの番組名にはマスキングが施されていない。
装置の操作者は、この電子番組表を利用することにより、マスキングが施されていないｃｈ１の映画１３あるいはｃｈ３の映画３１は、既に録画された番組、保有ライブラリに既に保有されている番組あるいは画不要な指定外ジャンルの番組であることを容易に判断でき、録画を必要としない番組の録画を防止することができる。
【００１８】
本発明においては、操作者が電子番組表に表示される番組名を確認し、予約したい番組を見つけ録画予約設定を行っていく際は、図３に示すような、装置の操作者が過去に録画を行ったことがない番組や保有ライブラリに保存されている番組を主に表示する重複録画防止用の電子番組表１１０を利用することが可能となる。
また、図３に示した重複録画防止用の電子番組表の例では、装置の操作者が予め用意された設定項目にて番組ジャンル名を選択設定しておくことにより、指定番組ジャンル以外の番組も電子番組表の上でマスク表示させることを可能にし、装置の使用者が目的とする番組名を見つけ易い表示としている。
【００１９】
図４は、デジタル放送受信装置における重複録画予約防止用電子番組表を表示するために必要となる保有番組情報の記録手順を説明するためのフローチャートである。
このフローチャートを用いて装置の操作者が過去に録画等を行った番組に関する情報を保有番組情報として記録するまでの手順を説明する。
保有番組情報の記録には、予約動作終了（ステップＳ１）後のその番組の番組情報の記録と、予約以外での録画動作終了（ステップＳ２）後のその番組の番組情報の記録と、図１のリモコン２０上に用意されている「ライブラリ登録」キーの押下（ステップＳ３）によってライブラリ情報の記録を開始する方法がある。
【００２０】
まず、装置の操作者が予め録画予約設定をしていた録画動作が行われ、録画が終了した場合（ステップＳ１）の番組情報の記録は、録画予約設定の際に指定した「視聴」か「録画」かの予約種別情報を元にして、その予約動作が予約録画動作であったかどうかを判別（ステップＳ４）する。
予約録画動作であった場合は、本装置の計時処理部１７より得られる「実際に行われた予約録画開始／終了時刻情報」と番組配列情報から得られる「予約動作を行った番組の放送開始／終了時刻情報」を比較して、ステップS5予約動作が正常に開始／終了したかどうかの判別（ステップＳ５）と、録画された番組は最低一つ以上でその番組の開始時間と終了時間を含んだ番組全体が録画されたかどうかを判別（ステップＳ６）する。
その条件を満たしている場合には、番組配列情報から得られる予約動作を行った番組の番組ジャンル名／番組名の情報と番組保有情報のメイン情報部に記録されている番組ジャンル名／番組名の情報を比較して、保有番組情報として第一の蓄積部１２の保有番組情報エリアに未だ記録されていない番組であるかどうかを判別（ステップＳ７）する。
未だ記録されていない場合には、保有番組情報エリアに新規の保有番組情報として追加記録（ステップＳ８）を行う。
【００２１】
次に、予約動作以外で録画動作を行い終了した場合（ステップＳ２）の番組情報の記録は、本装置の計時処理部１７より得られる実際に行われた予約録画開始／終了時刻情報と番組配列情報から得られる録画予約動作を行った番組の放送開始／終了時刻情報を比較して、録画された番組は最低一つ以上でその番組の開始時間と終了時間を含んだ番組全体が録画されたかを判別（ステップＳ６）する。
その条件を満たしている場合には、番組配列情報から得られる録画予約動作を行った番組の番組ジャンル名／番組名の情報と番組保有情報のメイン情報部に記録されている番組ジャンル名／番組名の情報を比較して、保有番組情報としては未だ記録されていない番組であることを判別（ステップＳ７）する。
未だ記録されていない場合には、保有番組情報エリアに新規の保有番組情報として追加記録（ステップＳ８）を行う。
【００２２】
更に、装置のリモコン２０の「ライブラリ登録」キーの押下（ステップＳ３）により、装置の操作者が過去に録画していたか、購入し所有しているＶＴＲテープもしくはＤＶＤ等の保有ライブラリ名を登録する場合の番組情報の記録に際しては、「１．電子番組表からの登録」、「２．Ｓ／Ｗ（ソフトウェア）キーボードからの登録」または「３．ダウンロード済み番組名リストからの登録」の３つの登録方法のいずれかが選択できるように、グラフィック表示（ステップＳ９）される。そして、操作者は３つの登録方法のうちのいずれかを選択（ステップＳ１０）する。
なお、ステップＳ９において、「ＧＵＩ」とあるのは、「Graphical User Interface」の略語であり、「ＧＵＩ表示」とは「グラフィック表示」を意味する。
「１．電子番組表からの登録」を選択した場合は、電子番組表が表示（ステップＳ１１）され、電子番組表に表示されている番組名の中に、保有しているライブラリと同じ名前があれば、電子番組表上よりその該当する番組を必要なだけ繰り返し選択（ステップＳ１４）する。
【００２３】
ステップＳ１０において、「２．Ｓ／Ｗキーボードからの登録」を選択した場合は、Ｓ／Ｗキーボードが表示（ステップＳ１２）され、そこから保有しているライブラリ名を必要なだけ入力し、予め用意されている番組ジャンル名を装置の操作者の判断で選択する。
ステップＳ１０において、「３．ダウンロード済み番組名リストからの登録」を選択した場合は、予めインターネット上のコピーフリーのサイトから映画名が「あいうえお順」などに記載された番組名などのリストを、装置内にダウンロードしておくことにより番組名リストが表示され（ステップＳ１３）、その表示されたリスト名に保有しているライブラリと同じ名前があれば、ライブラリリスト上よりその該当するタイトル名を必要なだけ繰り返し選択（ステップＳ１６）し、予め用意されている番組ジャンル名を、装置の操作者の判断で選択する。
【００２４】
以上の方法のいずれかにより、保有しているライブラリ名の選択が終わったら選択操作を終了（ステップＳ１７、ステップＳ１８、ステップＳ１９）させ、以上で行った選択もしくは入力された番組ジャンル名／番組名の情報と番組保有情報のメイン情報部に記録されている番組ジャンル名／番組名の情報を比較して、保有番組情報としては未だ記録されていない番組であることを判別（ステップＳ７）する。
未だ記録されていない場合には、保有番組情報エリアに新規の保有番組情報として追加記録（ステップＳ８）を行う。
【００２５】
図５は、この発明のデジタル放送受信装置における重複録画予約防止用の電子番組表を表示するため手順を説明するためのフローチャートである。
このフローチャートを用いて、重複録画予約防止用の電子番組表を表示するまでの手順を説明する。
重複録画予約防止用の電子番組表を表示するためには、図１のリモコン２０に用意されている「番組表」キーを押下（ステップＳ５１）すると、まず、図６に示す通常の（即ち、従来の）電子番組表が表示（ステップＳ５２）される。
この状態から、リモコン２０上に用意されている「指定外ジャンル」キー、「録画済み」キー、「保有ライブラリ」キーのいずれかの番組表示マスクキーを押下（ステップＳ５３）すると、押下された番組表示マスクキーに対応した電子番組表上の表示マスク条件を示す＜表示マスク＞インジケータが表示（ステップＳ５４）される。
【００２６】
なお、「指定外ジャンル」キー、「録画済み」キー、「保有ライブラリ」キーが押下されたときは、図３に示すように、「指定外ジャンル」、「録画済み」、「保有ライブラリ」対応する番組はマスキングされ、いずれにも対応しない番組（例えば、図３ではｃｈ１の番組１３およびｃｈ１の番組３１）はマスキングされない。
押下されたマスクキーに対応した「保有番組情報」が、図１に示した第一の蓄積部１２より図２の保有番組情報のヘッダー情報部に記録されている「情報源」を手がかりに、該当するすべての保有番組情報を抽出（ステップＳ５５）する。
抽出された保有番組情報のうちで、図２に示したメイン情報部に記録されている番組ジャンルおよび番組名の情報と電子番組表上に表示されているすべての番組の番組配列情報に含まれるＥＩＴ（Event Information Table）から得られる番組ジャンル名／番組名情報を比較して、一致する番組があるかを判別（ステップＳ５６）する。
【００２７】
該当番組がある場合は、押下された番組表示マスクキーに対応した電子番組表の表示マスク条件を示す＜表示マスク＞インジケータがオン状態であれば、該当番組の時間帯エリアに対しマスク表示を施す。（ステップＳ５７）
電子番組表の表示マスク条件を示す＜表示マスク＞インジケータがオフ状態であれば、該当番組の時間帯エリアに対しマスク表示を解除する。（ステップＳ５７）
以上により、重複録画予約防止用電子番組表の表示が行われる。
【００２８】
以上の手順で表示された重複録画予約防止用の電子番組表（例えば、図３の電子番組表）から、予約登録操作のために電子番組表に表示されている番組を選択（ステップＳ５８）した場合、選択された番組がマスク表示されていない番組であれば、電子番組表の表示が終了し、装置固有の録画予約設定画面に移行（ステップ２００）する。
選択された番組がマスク表示されている番組であれば、番組保有情報のヘッダー情報部の中にある保有番組情報の情報源の情報とメイン情報部の中にある保有番組情報の番組名などの情報とサブ情報部の中にある保有番組情報を記録した日時情報などを用いて、操作者に対し選択した番組が既に保有している番組であることを、グラフィックにより重複録画アラーム（重複録画警告）表示（ステップＳ６０）を行って注意を促し、規定時間経過後に「重複録画アラーム（重複録画警告」表示を解除（ステップＳ６１）した後に、電子番組表の表示が終了し、装置固有の予約設定画面に移行（ステップＳ２００）する。
なお、図５のステップ６０において、「ＧＵＩ」とあるのは、「Graphical User Interface」の略語である。
【００２９】
また、ステップＳ５８において、予約登録操作のための電子番組表から番組が選択されずに、図１のリモコン２０上に用意されている「番組表」キーが押下（ステップＳ６２）されたときは、電子番組表の表示は終了（ステップＳ３００）する。
更に、ステップＳ６２において、「番組表」キーも押下されないような場合は、電子番組表を構成するための元情報となる番組配列情報の再受信が行われ電子番組表に表示される番組名の追加／変更／削除などの更新処理が自動的に行われたかどうかを判別（ステップＳ６３）する。
そして、更新処理が行われた場合は、電子番組表上の表示マスクインジケータがオンになっているマスク条件に対応した保有番組情報を第一の蓄積部１２より抽出（ステップＳ６４）し、抽出した保有番組情報より得られる番組ジャンル／番組名情報と、電子番組表上に表示されているすべての番組の番組配列情報に含まれるＥＩＴ（Event Information Table）から得られる番組ジャンル名と番組名情報を比較し、一致する番組があるかを（ステップＳ５６）して、ステップＳ５６以降は、前述したのと同様の処理を行う。
【００３０】
以上説明したように、本発明によるデジタル放送受信装置は、デジタル放送番組の受信／録画およびデジタル放送番組に多重されて送られてくる番組配列情報が受信可能であり、受信した番組配列情報に基づいて、放送番組の録画予約に使用するための電子番組表を表示できるデジタル放送受信装置であって、
既に装置本体に録画済みの番組または装置外のライブラリに保有済みの番組の番組名／番組ジャンル名を保有番組情報として記録する保有番組名／番組ジャンル名記録手段（第一の蓄積部１２および主制御部１４）と、上記電子番組表に表示されている番組中に上記保有番組名／番組ジャンル名記録手段に記録されている番組と一致する番組があるか否かを判別する保有番組判別手段（リモコン受信処理部１８および主制御部１４）と、上記保有番組判別手段の判別結果に基づいて、上記電子番組表に表示されている番組名のうち、既に装置本体に録画済みあるいは装置外のライブラリに保有済みの番組については、表示されている番組名にマスキング処理を施すマスキング表示手段（グラフィック生成・重畳部５、映像処理部６、ディスプレイ装置７および主制御部１４）を備えている。
従って、本発明による電子番組表は、既に装置本体に録画済みあるいは装置外のライブラリに保有済みの番組については、表示されている番組名にマスキング処理が施されているので、電子番組表を用いて予約録画する際に、録画の必要がない番組を容易に判断することが可能となり、無駄な重複録画を確実に防止できる。
【００３１】
また、本発明によるデジタル放送受信装置は、操作者がリモコンのマスキング条件指定キーを操作してマスキング処理を施す際に、指定されたマスキング条件に対応するマスクインジケータを電子番組表上に点灯表示させる。
従って、操作者は、電子番組表によって、どのような条件の番組（例えば、録画済みの番組、ライブラリに保有されている番組あるいは指定ジャンル外番組等）にマスキング処理を施そうとしているのかを容易に判断できる。
【００３２】
また、本発明によるデジタル放送受信装置は、保有番組名／番組ジャンル名記録手段が、予約録画動作を行った番組を新たな保有番組情報として記録するに際し、装置本体の計時処理部より得られる実際に行われた予約録画開始／終了時刻の情報、番組配列情報から得られる予約録画動作を行った番組の放送開始／終了時刻／番組ジャンル名／番組名の情報、録画予約設定で指定した視聴／録画の予約種別の情報、および保有番組情報のメイン情報部に記録されている番組名／番組ジャンル名の情報に基づいて、予約録画動作は完了し、放送番組の開始から終了まで録画されているが、保有番組情報としては未だ記録されていない番組であることを判別する。
従って、予約録画動作を行った番組を新たな保有番組情報として記録する際に、予約録画動作は完了しているが、保有番組情報としては未だ記録されていない番組を判別できる。
【００３３】
また、本発明によるデジタル放送受信装置は、保有番組名／番組ジャンル名記録手段が、予約録画動作以外での録画動作を行った番組を新たな保有番組情報として記録するに際し、装置本体の計時処理部より得られる実際に行われた予約録画開始／終了時刻の情報、番組配列情報から得られる録画動作を行った番組の放送開始／終了時刻／番組ジャンル名／番組名の情報、番組保有情報のメイン情報部に記録されている番組名／番組ジャンル名の情報に基づいて、録画動作が終了し、放送番組の開始から終了まで録画されているが、保有番組情報としては未だ記録されていない番組であることを判別する。
従って、予約録画動作以外での録画動作を行った番組を新たな保有番組情報として記録する際に、予約録画動作は完了しているが、保有番組情報としては未だ記録されていない番組を判別できる。
【００３４】
また、本発明によるデジタル放送受信装置は、保有番組名／番組ジャンル名記録手段が、以前に録画していたか購入して持っている所有ライブラリ名の情報を新たな番組保有情報として記録するに際し、電子番組表に表示されている番組の番組配列情報から得られる番組名／番組ジャンル名情報またはグラフィク表示されたＳ／Ｗキーボードなどから直接入力された番組名／番組ジャンル名情報または予めインターネット上のコピーフリーのサイトからダウンロードされている番組名／番組ジャンル名情報、番組保有情報のメイン情報部に記録されている番組名／番組ジャンル名の情報に基づいて、保有番組情報としては未だ記録されていない番組であることを判別する。
従って、以前に録画していたか購入して持っている所有ライブラリ名の情報を新たな番組保有情報として記録する際に、保有番組情報としては未だ記録されていない番組を判別できる。
【００３５】
また、本発明によるデジタル放送受信装置は、保有番組名／番組ジャンル名記録手段が記録する保有番組情報は、ヘッダー情報部、メイン情報部およびサブ情報部で構成され、ヘッダー情報部には記録する保有番組情報の情報源が何であったかの情報を記録し、メイン情報部には記録する保有番組情報が何の番組であるかの情報を記録し、サブ情報部には保有番組情報を記録した日時はいつであったかの情報を記録する。
従って、操作者は、ヘッダー情報部、メイン情報部あるいはサブ情報部に記録されている各種情に基づいて、電子番組表に表示されている番組がどのような番組であるのか（例えば、番組の情報源、何の番組か、保有番組情報として記録されたのはいつか、など）を、より詳細に知ることができる。
【００３６】
また、本発明によるデジタル放送受信装置は、電子番組表を構成するための元情報となる番組配列情報の再受信が行われ、電子番組表に表示される番組名の追加／変更／削除が行われる際に、電子番組表上のマスクインジケータがオンになっているマスク条件に対応した保有番組情報より得られる番組名／番組ジャンル名情報と電子番組表上に表示されているすべての番組の番組配列情報から得られる番組名／番組ジャンル名情報を比較して、一致する番組があるかを判別することにより、一致する番組がある場合は、電子番組表の該当番組に対して番組名のマスキング状態を更新する手段を備える。
従って、番組配列情報の再受信が行われても、電子番組表のマスキング状態を自動的に更新できる。
【００３７】
また、本発明によるデジタル放送受信装置は、電子番組表の番組名がマスキング処理された番組を選択した場合に、番組保有情報のヘッダー情報部の中にある情報源の情報とメイン情報部の中にある番組名などの情報とサブ情報部の中にある記録した日時情報などを用いて、操作者に対し選択した番組が既に保有している番組であることをグラフィックにより重複録画警告表示を行って注意を促す手段を備える。
従って、選択した番組が既に保有している番組であることを、グラフィックにより重複録画警告表示を行うことができるので、更に確実に無駄な重複録画を防止できる。
【産業上の利用可能性】
【００３８】
本発明は、以前に録画したことのある放送番組の重複録画を防止できる予約録画機能を備えたデジタル放送受信装置の実現に有用である。
【図面の簡単な説明】
【００３９】
【図１】この発明によるデジタル放送受信装置の構成を示すブロック図である。
【図２】この発明によるデジタル放送受信装置における保有番組情報の記録形態を説明するための図である。
【図３】この発明によるデジタル放送受信装置における電子番組表の表示例を示す図である。
【図４】この発明によるデジタル放送受信装置における電子番組表を表示するために必要となる保有番組情報の記録手順を説明するためのフローチャートである。
【図５】この発明によるデジタル放送受信装置における電子番組表の表示手順を説明するためのフローチャートである。
【図６】デジタル放送受信装置における従来の電子番組表の表示例を示す図である。
【符号の説明】
【００４０】
１  アンテナ入力部                        ２  復調処理部
３  デスクランブル・デバルチプレクサ処理部
４  映像・音声デコード処理部              ５  グラフィック生成・処理部
６  映像処理部                            ７  ディスプレイ装置
８  音声処理部                            ９  スピーカ
１０  映像出力部                          １１  音声出力部
１２  第一の積部                          １３  第二の蓄積部
１４  主制御部                            １５  Ethernet（登録商標）処理部
１６  インターネット網                    １７  計時処理部
１８  リモコン受信処理部
１９  外部録画機器制御用リモコン出力部    ２０  リモコン
１１０  本発明における電子番組表の例
【図１】
2007159002.tif 000003
【図２】
2007159002.tif 000004
【図３】
2007159002.tif 000005
【図４】
2007159002.tif 000006
【図５】
2007159002.tif 000007
【図６】
2007159002.tif 000008